(57)【要約】【課題】  数十人から数百人規模の団体旅行の引率者は決められた旅行プログラムで運行する必要から指定された時間に指定された場所へ旅行客全員を呼び出して集合させるための不特定多数呼出装置の提供である。【解決手段】  団体旅行の引率者が持つ親機マスターの呼び出しＳＷを押下することにより旅行客全員が持つ子機スレーブの各々に対して無線通信によるポーリング方式でＬＥＤ点滅、ブザー鳴動、バイブレータ振動あるいはスピーカー音声出力により集合時間であることを旅行客全員に知らせるための不特定多数呼出装置である。【選択図】  図６
2007043630.tif 000002
【特許請求の範囲】
【請求項１】
１台の送信機を親機マスターとして不特定多数の人間が持つ受信機である子機スレーブに対して無線を介して一斉に呼び出す手段を有する不特定多数呼出装置。
【請求項２】
親機マスターは子機スレーブを呼び出すための子機スレーブの数を管理する手段と、子機スレーブ個別のアドレスを管理する手段と、子機スレーブを呼び出した時の子機スレーブに付帯したランプまたはＬＥＤを点滅する選択手段と、ブザーを鳴動する選択手段と、バイブレータを振動する選択手段と、スピーカにより音声を発生する選択手段を有する不特定多数呼出装置。
【請求項３】
親機マスターは指定された子機スレーブの数分のアドレスを持ち、子機スレーブのアドレスの若い番号から順次無線を介して子機スレーブを呼び出す手段と、アドレスが一致した子機スレーブから受信確認した信号を無線を介して順次親機マスターに返信する手段を有する不特定多数呼出装置。
【請求項４】
子機スレーブは親機マスターから無線を介して送信された選択信号によりランプまたはＬＥＤを点滅する手段と、ブザーを鳴動する手段と、バイブレータを振動する手段と、スピーカにより音声を発生する手段を有する不特定多数呼出装置。
【発明の詳細な説明】
【技術分野】
【０００１】  本発明は、団体旅行などで不特定多数の旅行客が観光地に散会して近辺を散策している場合において、次の観光地へ移動する時間に引率者が参加している旅行客全員を指定場所に集合させるための呼び出し装置に関する。
【背景技術】
【０００２】  近年、国内および海外を含めてパッケージツアーと呼ばれる団体旅行が盛んであるが、引率者は数十人から数百人の団体旅行客を観光地などを案内しながら指定されたプログラムに従って時間通りに運行する際に、観光地で旅行客が散会して観光地の周辺を散策している間に次の移動時間になる場合が多く、旅行客の中には指定された時間になっても指定された場所へ集合しない場合も多々あり引率者は旅行客の安全確保も含めた責任があるので旅行客全員を集めるのに動き回らなくてはならず、また旅行客全員を呼び出す手段もないことから引率者は大変な労苦を強いられているのが現状である。
【発明の開示】
【発明が解決しようとする課題】
【０００３】  数十人または数百人規模の団体旅行客を引率する引率者が次の移動先への移動のために指定された場所へ引率している旅行客全員を呼び出すための不特定多数呼出装置の提供である。
【課題を解決するための手段】
【０００４】  前記課題を解決するために、近年ブルーテュースと呼ばれる近距離無線通信方式の国際規格が制定され、無線周波数が２４００ＭＨｚから２５００ＭＨｚ程度、２値ＦＳＫ変調復調方式、電波出力１００ｍＷ程度が制度化されるに至っている。通常パソコンなどに採用されている無線ＬＡＮの方式でもある。団体旅行客が観光地で散会して周辺を散策する範囲はおおよそ１００ｍから２００ｍの距離であるので前記ブルーテュース方式などを用いた団体旅行の引率者が常時持つ親機マスターは携帯電話のような手のひらサイズの携帯端末で団体旅行客の人数設定、子機スレーブの動作機能を設定するプログラム選択などの機能を有し、子機スレーブは団体旅行に参加した旅行客全員が１ケづつ持つものでバッジのような形状であり胸あるいは腕などにクリップで固定するか、紐にぶら下げて首にかけるように装着される。【０００５】  次に親機マスターが子機スレーブに送信するデータは基本が４バイトの３２ビットで構成され、最初の送信データは２バイトである１６ビットの親機マスターおよび子機スレーブのグループアドレス番号である。次の送信データの２バイトである１６ビットの上位桁の１バイトである８ビットが子機スレーブのアドレスとして使用され、下位桁の１バイトである８ビットが子機スレーブの動作機能であるランプまたはＬＥＤの点滅、ブザーの鳴動、バイブレータの振動、スピーカーの音声出力などの選択指定に使用される。親機マスターが管理する子機スレーブアドレスは８ビット使用できるので親機マスターが管理できる子機スレーブの数は最大２５６台であるが親機マスター自身のアドレスを０とするので子機スレーブアドレスとしては１から２５５までの２５５台までとする。なお、親機マスターから子機スレーブに最初に送信されるグループアドレスは２バイトの１６ビットであるから親機マスターおよび子機スレーブのアドレスグループ数としては最大６５５３６グループとなり１つのグループの子機スレーブは最大２５５台であるので、すべてのグループ数で制御できる子機スレーブは最大で約１６７１万台となる。通常無線通信方式では使用できる周波数帯域に制限があるのでグループ単位でキャリア周波数を決めて周波数の干渉を防止する手段を用いるが、この手段では装置の周波数安定化が求められコスト面および調整面で不利になるのでキャリア周波数は一種類としてグループアドレスおよび子機スレーブアドレスをデジタル処理で行うことによりグループアドレス番号と子機スレーブアドレス番号が一致しなければ子機スレーブからの返信がないので異なるグループアドレス番号を持つ親機マスターおよび子機スレーブのグループ間での干渉は発生しないことになる。また、親機マスターの動作を処理するプログラムは親機マスターに装備されたメモリステックに書き込まれており親機マスターの電源が投入された時にメモリステックからプログラムＲＯＭへダウンロードされて使用可能状態になる。これは親機マスターと子機スレーブの動作機能あるいはグループアドレス番号などに変更が生じた場合に簡便に動作機能およびグループアドレス番号などを変更することが可能となる。【０００６】  次に親機マスターが子機スレーブに送信するデータの基本は４バイトであるが、この中の下位２バイトの下位桁８ビットの上位４ビットは前記４バイト以上の送信データがあるかを指定するデータ送信量であり、４ビットなので１から１５までの指定が可能で、最大２バイト単位で３０バイトまでの子機スレーブの動作パラメータデータを送信することができる。この動作パラメータは、例えば子機スレーブに装備されたランプまたはＬＥＤの点滅間隔時間および点滅回数の設定、ブザー鳴動の鳴動間隔時間および鳴動回数の設定、バイブレータの振動間隔時間および振動回数の設定、スピーカーによる音声出力種類および音声出力回数の設定、子機スレーブ自身のスレーブアドレス番号およびグループアドレス番号設定などの子機スレーブの動作詳細パラメータの設定に使用するものである。【０００７】  次に親機マスターを持つ引率者は旅行客全員を呼び出す際に人数とプログラムを選択し呼び出しＳＷを押下すると最初の送信データであるグループアドレス番号の２バイト分１６ビットを送信し、次に子機スレーブアドレスと動作機能を指示する２バイト分１６ビットを送信するので同じグループアドレスとして子機スレーブアドレス１から無線を介して子機スレーブ１にデータを送信し、子機スレープ１が電波受信範囲内にいれば子機スレーブ１は送信されたデータから自分自身のグループアドレスおよび子機スレーブアドレスと一致しているかを判断して同時に送信された動作選択に従いＬＥＤの点滅、ブザーの鳴動、バイブレータの振動あるいはスピーカー音声出力動作を実行するとともに子機スレーブが親機マスターからの送信データを正常受信したとの回答として親機マスターから送信された送信データと同じデータまたは特定の返信コードを無線を介して親機マスターに返信することにより親機マスターは同じグループアドレスのアドレス１の子機スレーブへの呼び出しが完了したと判断できる。次に親機マスターは同じ動作を同じグループアドレスの子機スレーブに対して子機スレーブアドレス２、子機スレーブアドレス３と順次送信して設定された人数分の子機スレーブアドレスすべてから返信があった場合は親機スレーブに装備された緑ＬＥＤを点灯させ、１つでも返信のない子機スレーブアドレスがあれば赤ＬＥＤを点灯し引率者に知らせることにより旅行客全員に指令が伝わったどうかの確認ができるものである。また赤ＬＥＤが点灯した場合はどの子機スレーブからの返信がないかを確認するために親機マスターの番号ＳＷを押下すると未返信の若い子機スレーブアドレス番号を３桁程度表示できる７セグメントＬＥＤあるいは液晶ＬＣＤに表示し、再度番号ＳＷを押下すると次の未返信の子機スレーブアドレス番号を番号ＳＷを押すごとに表示すれば引率している人数中で何番の旅行客に集合指示が伝達できなかったかを確認でき旅行客リストに記載された人物を特定できるものである。
【発明の効果】
【０００８】  本発明の不特定多数呼出装置によれば団体旅行において引率者が親機マスターを持ち、旅行客全員が子機スレーブを持つことにより、観光地で散会して旅行客が観光中に次の移動時間になり指定された場所へ集合する場合に引率者が簡便な方法で旅行客全員を呼び出すことができる不特定多数呼出装置の提供である。
【発明を実施するための最良の形態】
【０００９】  本発明の不特定多数呼出装置の一実施の形態を図１〜図６を参照して説明する。本実施の形態において図１は親機マスターの構造概念図を示している。左図が表を示し、右図が裏を示している。親機マスターと子機スレーブの通信を行うための無線アンテナ１０。親機マスターの動作機能プログラムを格納するメモリスティック２０。赤ＬＥＤ３０。子機スレーブの動作を選択するプログラム選択ＳＷ４０。緑ＬＥＤ５０。リセットＳＷ６０。人数設定ＳＷ７０。未返信番号表示器７５。未返信番号表示ＳＷ７６。呼び出しＳＷ８０。バッテリー９０。電源ＳＷ１００を有する。【００１０】  次に図２は子機スレーブの構造概念図を示している。左図が表を示し、右図が裏を示している。無線アンテナ１１０。呼び出しＬＥＤ１２０。音声出力スピーカー１３０。鳴動ブザー１４０。振動バイブレータ１５０。バッテリー１６０。電源ＳＷ１７０を有する。【００１１】  次に図３は親機マスターと子機スレーブとの送受信データの構造を示す状態図である。親機マスターから子機スレーブに対して最初に送信される基本データ構造を示す１７５。親機マスターから子機スレーブに対して２番目に送信される基本データ構造を示す１８０。２番目に送信される基本データ構造１６ビットの下位８ビットの子機スレーブ動作機能を示す１９０を有する。【００１２】  次に図４は親機マスターのシステム構成図を示している。親機マスターの機能全体を制御するマイクロＣＰＵ２００。ＬＥＤ点灯制御インターフェース２１０。２ケのＬＥＤ２２０。プログラムＳＷインターフェース２３０。プログラム選択ＳＷ２４０。人数設定ＳＷインターフェース２５０。人数設定ＳＷ２６０。呼び出しスタートＳＷおよびリセットＳＷインターフェース２７０。呼び出しスタートＳＷおよびリセットＳＷ２８０。番号表示インターフェース２８５。番号表示７セグメントまたはＬＣＤ表示器２８６。制御プログラムを格納するプログラムＲＯＭ２９０。制御パラメータを格納するワークＲＡＭ３００。メモリスティックインターフェース３１０。着脱式メモリスティック３２０。変調器および復調器インターフェース３３０。無線アンテナ３４０。番号表示ＳＷインターフェース３４５。番号表示ＳＷ３４６。ＣＰＵバス３５０を有する。【００１３】  次に図５は子機スレーブのシステム構成図を示している。子機スレーブの機能全体を制御するマイクロＣＰＵ３６０。ＬＥＤ点灯制御インターフェース３７０。呼び出しＬＥＤ３８０。スピーカーインターフェース３９０。音声出力スピーカー４００。ブザーインターフェース４１０。鳴動ブザー４２０。バイブレータインターフェース４３０。振動バイブレータ４４０。制御プログラムを格納するプログラムＲＯＭ４５０。制御パラメータを格納するワークＲＡＭ４６０。変調器および復調器インターフェース４７０。無線アンテナ４８０。ＣＰＵバス４９０を有する。【００１４】  次に図６は引率者が常時持つ親機マスターと旅行客が持つ子機スレーブ間の通信形態を示す状態図である。親機マスター５００。Ａさんが持つアドレス＃１の子機スレーブ５１０。Ｂさんが持つアドレス＃２の子機スレーブ５２０。Ｎさんが持つアドレス＃ｎの子機スレーブ５３０を有する。
【実施例】
【００１５】  前述した本発明の実施の形態の不特定多数呼出装置の実施例を説明する。
団体旅行の引率者は使用前に図１の親機マスターの電源ＳＷ１００をオンにすると装備されたメモリスティック２０から動作機能プログラムを図４のプログラムＲＯＭ２９０へダウンロードする。ダウンロード中は図１の赤ＬＥＤ３０が点滅しダウンロードが完了すると赤ＬＥＤ３０は消灯する。【００１６】  次に参加している旅行客全員に配布する図２の子機スレーブすべての電源ＳＷ１７０をオンにする。引率者は図１の親機マスターのプログラム選択ＳＷ４０を選択し参加している旅行客の人数を人数設定ＳＷ７０に人数をセットする。図２の子機スレーブすべての電源ＳＷ１７０をオンした後にテーブルなどの上に置き引率者は図１の親機マスターの呼び出しＳＷ８０を押下すると図３の基本データ構造１７５のグループアドレスデータと基本データ構造１８０の下位８ビットに選択された子機スレーブの動作機能であるプログラム番号が設定され、上位８ビットをセットされた人数分のアドレスとして１から順次アドレスをインクリメントして図２の子機スレーブに無線アンテナを介してデータを送信すると受信範囲内にある子機スレーブは選択された、例えばＬＥＤの点滅などの動作機能を実行するとともに親機マスターから送信されたデータを正常に受信したことの回答として親機マスターから送信されたデータと同じデータまたは特定の返信コードを各々の子機スレーブが無線アンテナを介して親機マスターに返信することにより設定されたすべての子機スレーブとの通信が正常に終了したことを確認するものである。すなわち通信方式としては親機マスターから各々の子機スレーブに対してポーリング方式で行うことで子機スレーブ１台ごとに確実に通信ができるかどうかを確認した後に参加している旅行客全員に子機スレーブを配布し旅行客の胸あるいは腕にクリップなどで装着する。【００１７】  次に図３の基本データ構造１８０の上位８ビットはアドレス０を除く１から２５５までの子機スレーブを最大２５５台制御できる子機スレーブアドレスとして使用でき、下位８ビットは組み合わせによりＬＥＤの点滅なら１６進ＨＥＸコードで０１、ブザーの鳴動ならＨＥＸコードで０２、バイブレータの振動ならＨＥＸコードで０４、スピーカーの音声出力ならＨＥＸコードで０８のように個別に設定でき、またＨＥＸコードが０３であればＬＥＤ点滅とブザー鳴動の両方を同時に動作させることが組み合わせで可能であり旅行客が訪問している場所、例えば美術館のような静かな場所であればブザーとスピーカーの使用はできないのでＬＥＤ点滅とバイブレータ振動のＨＥＸコード０５を指定すれば他の観客の迷惑にはならない様にその場所の状況により使い分けができるものである。【００１８】  次に図６は引率者が次の移動があり旅行客全員を呼び出す際に引率者が持つ親機マスター５００の呼び出しＳＷを押下するとポーリング方式で子機スレーブアドレス＃１のＡさんの子機スレーブ５１０にデータを送信するとＡさんの子機スレーブ５１０は受信データにより例えばＬＥＤ点滅指定であればＬＥＤが点滅してＡさんに指定場所に戻るように指示を与えると共にＡさんの子機スレーブ＃１から親機マスター５００に対して受信が完了したことを回答する親機マスター５００から送信されたデータと同じデータまたは特定の返信コードを返信することにより遠方にいる引率者の親機マスター５００に対してＡさんの子機スレーブ５１０に指示が届いたことを知らせるものである。同様にＢさんの子機スレーブ５２０、Ｎさんの子機スレーブ５３０と順番に設定された人数分の全アドレスについてポーリング方式で通信することにより旅行客全員の呼び出しが可能になる。
【産業上の利用可能性】
【００１９】  本発明の不特定多数呼出装置によれば、数十人から数百人規模の団体旅行において引率者が指定された時間に指定された場所へ旅行客全員を集合させる場合、散会して観光を楽しんでいる他の旅行客に迷惑をかけずに引率している旅行客のみを一斉に呼び出す分野に利用できる。
【図面の簡単な説明】
【００２０】
【図１】  本発明の不特定多数呼出装置の親機マスターの構造概念図である。
【図２】  本発明の不特定多数呼出装置の子機スレーブの構造概念図である。
【図３】  本発明の不特定多数呼出装置の送受信データの構造状態図である。
【図４】  本発明の不特定多数呼出装置の親機マスターのシステム構成図である。
【図５】  本発明の不特定多数呼出装置の子機スレーブのシステム構成図である。
【図６】  本発明の不特定多数呼出装置の通信形態状態図である。
【符号の説明】
【００２１】１０・・・無線アンテナ、２０・・・メモリスティック、３０・・・赤ＬＥＤ、４０・・・プログラム選択ＳＷ、５０・・・緑ＬＥＤ、６０・・・リセットＳＷ、７０・・・人数設定ＳＷ、７５・・・未返信番号表示器、７６・・・未返信番号表示ＳＷ、８０・・・呼び出しＳＷ、９０・・・バッテリー、１００・・・電源ＳＷ、１１０・・・無線アンテナ、１２０・・・ＬＥＤ、１３０・・・スピーカー、１４０・・・ブザー、１５０・・・バイブレータ、１６０・・・バッテリー、１７０・・・電源ＳＷ、１７５・・・最初の送受信基本データ１６ビット構造図、１８０・・・２番目の送受信基本データ１６ビット構造図、１９０・・・２番目の送受信基本データ下位８ビット構造図、２００・・・マイクロＣＰＵ、２１０・・・ＬＥＤインターフェース、２２０・・・ＬＥＤ、２３０・・・プログラムＳＷインターフェース、２４０・・・プログラム選択ＳＷ、２５０・・・人数ＳＷインターフェース、２６０・・・人数設定ＳＷ、２７０・・・スタート／リセットＳＷインターフェース、２８０・・・スタートＳＷ／リセットＳＷ、２８５・・・番号表示インターフェース、２８６・・・番号表示器、２９０・・・プログラムＲＯＭ、３００・・・ワークＲＡＭ、３１０・・・メモリスティックインターフェース、３２０・・・着脱式メモリスティック、３３０・・・変調器／復調器インターフェース、３４０・・・無線アンテナ、３４５・・・番号表示ＳＷインターフェース、３４６・・・番号表示ＳＷ、３５０・・・ＣＰＵバス、３６０・・・マイクロＣＰＵ、３７０・・・ＬＥＤインターフェース、３８０・・・ＬＥＤ、３９０・・・スピーカーインターフェース、４００・・・スピーカー、４１０・・・ブザーインターフェース、４２０・・・ブザー、４３０・・・バイブレータインターフェース、４４０・・・バイブレータ、４５０・・・プログラムＲＯＭ、４６０・・・ワークＲＡＭ、４７０・・・変調器／復調器インターフェース、４８０・・・無線アンテナ、４９０・・・ＣＰＵバス、５００・・・親機マスター、５１０・・・Ａさん子機スレーブ、５２０・・・Ｂさん子機スレーブ、５３０・・・Ｎさん子機スレーブ。
【図１】
2007043630.tif 000003
【図２】
2007043630.tif 000004
【図３】
2007043630.tif 000005
【図４】
2007043630.tif 000006
【図５】
2007043630.tif 000007
【図６】
2007043630.tif 000008